(57)【要約】本開示は画像収集装置を開示し、前記画像収集装置は画像収集デバイスおよび少なくとも二つの収容構造が設置される本体構造を含み、前記少なくとも二つの収容構造は、第一対象物件を置くための、前記本体構造の第一位置に設置される第一収容構造、および第二対象物件を置くための、前記本体構造の第二位置に設置される第二収容構造を含み、前記第一位置は前記第一収容構造上に置かれる前記第一対象物件が前記画像収集デバイスの収集可能な領域範囲内に位置することを満たし、前記第二位置は前記第二収容構造上に置かれる前記第二対象物件が前記画像収集デバイスの収集可能な領域範囲内に位置することを満たす。【選択図】図１
2020521261.tif 000002
【特許請求の範囲】
【請求項１】
画像収集装置であって、
画像収集デバイスおよび少なくとも二つの収容構造が設置される本体構造を含み、前記少なくとも二つの収容構造は、第一対象物件を置くための、前記本体構造の第一位置に設置される第一収容構造、および第二対象物件を置くための、前記本体構造の第二位置に設置される第二収容構造を含み、
前記第一位置は前記第一収容構造上に置かれる前記第一対象物件が前記画像収集デバイスの収集可能な領域範囲内に位置することを満たし、
前記第二位置は前記第二収容構造上に置かれる前記第二対象物件が前記画像収集デバイスの収集可能な領域範囲内に位置することを満たす画像収集装置。
【請求項２】
前記本体構造は底部に前記画像収集デバイスが設置される溝構造を有する請求項１に記載の画像収集装置。
【請求項３】
前記溝構造の開口は前記本体構造の第一側面に向かっており、前記第一側面に前記第一収納構造が設置される請求項２に記載の画像収集装置。
【請求項４】
前記第一側面に前記第一収納構造が設置されることは、前記第一側面において前記溝構造の開口に対応する第一位置に第一肉抜き構造が設けられ、前記第一肉抜き構造の周囲に前記第一対象物件を固定するための係止溝が設置されることを含む請求項３に記載の画像収集装置。
【請求項５】
前記第一側面と前記溝構造の開口が位置する平面との間に前記第二収容構造が形成され、前記溝構造の開口の周囲に前記第二対象物件を固定するための載置台が有する請求項３に記載の画像収集装置。
【請求項６】
前記溝構造の内部に光補足装置が設置される請求項１に記載の画像収集装置。
【請求項７】
前記溝構造の表面に導光材料が設置される請求項６に記載の画像収集装置。
【請求項８】
前記本体構造の第二側面に前記本体構造を載置面に固定するためのベースが設置される請求項１に記載の画像収集装置。
【請求項９】
前記本体構造にさらに前記画像収集デバイスを制御するための、制御ボタンまたはタッチパネルである制御装置が設置される請求項１から８のいずれか一項に記載の画像収集装置。
【請求項１０】
前記本体構造にさらに前記画像収集装置と外部装置の通信のための、少なくともユニバーサルシリアルバス（ＵＳＢ）インタフェースを含む通信インタフェースが設置される請求項１から８のいずれか一項に記載の画像収集装置。
【発明の詳細な説明】
【技術分野】
【０００１】
（関連出願への相互参照）
本開示は出願番号が２０１８２０５１２４３０．５、出願日が２０１８年０４月１０日の中国特許出願に基づいて提供し、かつ該中国特許出願の優先権を主張し、該中国特許出願の全ての内容をここで参照として本出願に引用する。
【０００２】
本開示は情報収集技術に関し、特に画像収集装置に関する。
【背景技術】
【０００３】
証明書情報収集装置はユーザの証明書における情報を収集可能な装置であるが、現在の証明書情報収集装置は多種類の証明書の収集を兼ね合わせることができない。身分証明書について収集しようとすれば、身分証明書収集装置（身分証明書リーダーとも称される）を使用して身分証明書について収集しなければならず、パスポートについて収集しようとすれば、パスポート収集装置（パスポートリーダーとも称される）を使用してパスポートについて収集しなければならず、異なる証明書には異なる証明書情報収集装置を使用しなければならず、コストが高くかつ使用体験が悪い。
【発明の概要】
【０００４】
上記技術課題を解決するために、本開示の実施例は画像収集装置を提供する。
【０００５】
本開示の実施例が提供する画像収集装置は、画像収集デバイスおよび少なくとも二つの収容構造が設置される本体構造を含み、前記少なくとも二つの収容構造は、第一対象物件を置くための、前記本体構造の第一位置に設置される第一収容構造、および第二対象物件を置くための、前記本体構造の第二位置に設置される第二収容構造を含み、
前記第一位置は前記第一収容構造上に置かれる前記第一対象物件が前記画像収集デバイスの収集可能な領域範囲内に位置することを満たし、
前記第二位置は前記第二収容構造上に置かれる前記第二対象物件が前記画像収集デバイスの収集可能な領域範囲内に位置することを満たす。
【０００６】
本開示の実施例では、前記本体構造は底部に前記画像収集デバイスが設置される溝構造を有する。
【０００７】
本開示の実施例では、前記溝構造の開口は前記本体構造の第一側面に向かっており、前記第一側面に前記第一収容構造が設置される。
【０００８】
本開示の実施例は、前記第一側面に前記第一収納構造が設置されることは、前記第一側面において前記溝構造の開口に対応する第一位置に第一肉抜き構造が設けられ、前記第一肉抜き構造の周囲に前記第一対象物件を固定するための係止溝が設置されることを含む。
【０００９】
本開示の実施例では、前記第一側面と前記溝構造の開口が位置する平面との間に前記第二収容構造が形成され、前記溝構造の開口の周囲に前記第二対象物件を固定するための載置台が有する。
【００１０】
本開示の実施例では、前記溝構造の内部に光補足装置が設置される。
【００１１】
本開示の実施例では、前記溝構造の表面に導光材料が設置される。
【００１２】
本開示の実施例では、前記本体構造の第二側面に前記本体構造を載置面に固定するためのベースが設置される。
【００１３】
本開示の実施例では、前記本体構造にさらに前記画像収集デバイスを制御するための、制御ボタンまたはタッチパネルである制御装置が設置される。
【００１４】
本開示の実施例では、前記本体構造にさらに前記画像収集装置と外部装置の通信のための、少なくともユニバーサルシリアルバス（ＵＳＢ：Ｕｎｉｖｅｒｓａｌ  Ｓｅｒｉａｌ  Ｂｕｓ）インタフェースを含む通信インタフェースが設置される。
【００１５】
本開示の実施例が提供する技術的解決手段は以下の有益な効果を有する。
【００１６】
本開示の実施例の技術的解決手段では、画像収集装置は、画像収集デバイスおよび少なくとも二つの収容構造が設置される本体構造を含み、前記少なくとも二つの収容構造は、第一対象物件を置くための、前記本体構造の第一位置に設置される第一収容構造、および第二対象物件を置くための、前記本体構造の第二位置に設置される第二収容構造を含み、前記第一位置は前記第一収容構造上に置かれる前記第一対象物件が前記画像収集デバイスの収集可能な領域範囲内に位置することを満たし、前記第二位置は前記第二収容構造上に置かれる前記第二対象物件が前記画像収集デバイスの収集可能な領域範囲内に位置することを満たす。本開示の実施例の技術的解決手段を採用すれば、一つの装置に異なるタイプの対象物件（証明書など）をそれぞれ収容するための少なくとも二つの収容構造が設置され、多種類の証明書の収集という機能をサポートし、証明書情報収集装置のコストを削減し、ユーザの使用体験を向上させる。
【００１７】
以上の一般的な記述および以下の詳細な記述は例示的および説明的なものに過ぎず、本願を限定するものではないことを理解すべきである。
【図面の簡単な説明】
【００１８】
ここでの図面は明細書に組み込まれかつ本明細書の一部となり、本開示に適合する実施例を示し、かつ明細書と併せて本開示の原理を説明するために用いられる。
【図１】本開示の実施例に係る画像収集装置の構成模式図である。
【図２】本開示の実施例に係る画像収集装置の立体構造模式図である。
【図３】本開示の実施例に係る画像収集装置の正面図である。
【図４】本開示の実施例に係る画像収集装置の背面図である。
【図５】本開示の実施例に係る画像収集装置の上面図である。
【図６】本開示の実施例に係る画像収集装置の底面図である。
【図７】本開示の実施例に係る画像収集装置の左側面図である。
【図８】本開示の実施例に係る画像収集装置の右側面図である。
【発明を実施するための形態】
【００１９】
本開示の実施例の特徴および技術的内容をより詳細に理解できるように、以下に図面と関連付けて本開示の実施例の実現を詳細に説明し、添付の図面は参照説明のためのものに過ぎず、本開示の実施例を限定するものではない。
【００２０】
図１は本開示の実施例に係る画像収集装置の構成模式図であり、図１に示すように、前記画像収集装置は、画像収集デバイス１２および少なくとも二つの収容構造が設置される本体構造１１を含み、前記少なくとも二つの収容構造は、第一対象物件を置くための、本体構造１１の第一位置に設置される第一収容構造１３、および対象物件を置くための、本体構造１１の第二位置に設置される第二収容構造１４を含み、
前記第一位置は第一収容構造１３上に置かれる前記第一対象物件が画像収集デバイス１２の収集可能な領域範囲内に位置することを満たし、
前記第二位置は第二収容構造１４上に置かれる前記第二対象物件が画像収集デバイス１２の収集可能な領域範囲内に位置することを満たす。
【００２１】
本開示の実施例では、本体構造１１の外形は限定されず、例えば立方体構造または不規則多角体構造などであってもよい。
【００２２】
本開示の実施例では、本体構造１１に画像収集デバイス１２および少なくとも二つの収容構造、例えば二つの収容構造、三つの収容構造等が設置される。本開示の実施例では、異なる収容構造は異なる寸法の対象物件を収容でき、例えば第一収容構造１３は第一対象物件を収容でき、第二収容構造１４は第二対象物件を収容できる。一例では、第一対象物件は身分証明書で、第二対象物件はパスポートである。当然、第一対象物件および第二対象物件のタイプはこれに限定されず、他のタイプの証明書、例えば運転免許証、社会保障カード、共通カードなどであってもよい。
【００２３】
本開示の実施例では、本体構造１１における第一収容構造１３の位置は第一収容構造１３上に置かれる前記第一対象物件が画像収集デバイス１２の収集可能な領域範囲内位置することを満たす必要がある。このようにして、ユーザが第一対象物件を第一収容構造１３上に置いた後、画像収集デバイス１２は第一対象物件の画像を収集でき、さらに、本開示の実施例における画像収集デバイス１２は顔写真収集機能を有し、本開示の実施例の画像収集デバイス１２を使用すれば第一対象物件の画像を収集でき、また第一対象物件の画像を予備的に認識し、それにより人物の頭画像領域を切り出し、続いて顔の頭領域の画像（即ち顔写真）を他の処理装置（ノートパソコン、卓上式コンピュータなど）に送信して顔情報を認識および照合することもでき、リアルタイムの顔照合という応用場面を例にすれば、画像収集装置は収集した証明書における顔写真を本人認証装置（ＳｅｎｓｅＩＤと称してもよい）に送信し、同時にＳｅｎｓｅＩＤにおけるカメラによってリアルタイムの顔画像を収集し、証明書における顔写真とリアルタイムの顔画像を照合し、顔認識結果（即ち、現在カメラが撮影した人物と証明書写真が同一人物であるかどうかということ）を得る。同様に、第二収容構造１４の本体構造１１における位置は第二収容構造１４上に置かれる前記第二対象物件が画像収集デバイス１２の収集可能な領域範囲内に位置することを満たす必要がある。このようにして、ユーザが第二対象物件を第二収容構造１４上に置いた後、画像収集デバイス１２は第二対象物件の画像を収集でき、さらに、本開示の実施例における画像収集デバイス１２は顔写真収集機能を有し、本開示の実施例の画像収集デバイス１２を使用すれば第二対象物件の画像を収集でき、また第二対象物件の画像を予備的に認識し、それにより顔の頭画像領域を切り出し、続いて顔の頭画像領域の画像を他の処理装置（ノートパソコン、卓上式コンピュータなど）に送信して顔情報を認識および照合することもできる。
【００２４】
以下に具体例と関連付けて本開示の実施例の画像収集装置を詳細に説明する。
【００２５】
図２は本開示の実施例に係る画像収集装置の立体構造模式図であり、図２を参照すると、前記画像収集装置は、画像収集デバイス１２（遮蔽されているため、図示せず）および少なくとも二つの収容構造が設置される本体構造１１を含み、前記少なくとも二つの収容構造は、第一対象物件を置くための、本体構造１１の第一位置に設置される第一収容構造１３、および第二対象物件を置くための、本体構造１１の第二位置に設置される第二収容構造１４を含み、前記第一位置は第一収容構造１３上に置かれる前記第一対象物件が画像収集デバイス１２の収集可能な領域範囲内に位置することを満たし、前記第二位置は第二収容構造１４上に置かれる前記第二対象物件が画像収集デバイス１２の収集可能な領域範囲内に位置することを満たす。
【００２６】
本例では、第一収容構造１３は特にカードタイプの証明書、例えば身分証明書、社会保障カードなどの標準寸法の証明書に適する。第二収容構造１４は特に他の寸法の証明書、例えばパスポート、運転免許証、学生証などに適する。本開示の実施例の画像収集装置は多種類の証明書画像の収集という機能をサポートし、様々な寸法または形状の証明書に対する証明書画像の収集を容易にする。
【００２７】
本例では、画像収集装置の本体構造１１は略立方体であり、全体的に六つの側面を有し、ここで、断面構造を有する上面は第一側面と呼ばれ、他の側面は略平面である。
【００２８】
図３から図８は本開示の実施例に係る画像収集装置の異なる視角での模式図であり、そのうち、図３は本開示の実施例に係る画像収集装置の正面図、図４は本開示の実施例に係る画像収集装置の平面図、図５は本開示の実施例に係る画像収集装置の上面図、図６は本開示の実施例に係る画像収集装置の底面図、図７は本開示の実施例に係る画像収集装置の左側面図、図８は本開示の実施例に係る画像収集装置の右側面図であり、図３から図８を参照すると、本体構造１１は底部に画像収集デバイス１２が設置される溝構造を有する。前記溝構造の開口は本体構造１１の第一収容構造１３が設置される第一側面に向かっている。前記第一側面において前記溝構造の開口に対応する第一位置に、第一肉抜き構造が設けられ、前記第一肉抜き構造の周囲に前記第一対象物件を固定するための係止溝が設置される。前記第一側面と前記溝構造の開口が位置する平面との間に第二収容構造１４が形成され、ここで、前記溝構造の開口の周囲に前記第二対象物件を固定するための載置台が設けられる。本体構造１１の第二側面に本体構造１１を載置面に固定するためのベース１５が設置される。本体構造１１にさらに画像収集デバイス１２を制御するための制御装置１６が設置される。本体構造１１にさらに前記画像収集装置と外部装置との通信のための通信インタフェース１７が設置される。
【００２９】
一例では、前記溝構造の内部に光補足装置（未図示）が設置される。さらに、前記溝構造の表面に導光材料が設置される。これによって、撮影環境の明るさを増加させ、それにより光線が十分な環境で高品質の画像を撮影することができる。
【００３０】
一例では、ベース１５は、画像収集装置の底部に均一に分布し、画像収集装置底部の磨耗を防止するという効果および画像収集装置を安定化するという機能を有する複数のゴムパッドであってもよい。
【００３１】
一例では、制御装置１６は制御ボタンまたはタッチパネルである。例えば、制御装置１６は画像収集装置を起動および停止するための制御ボタンおよび撮影モードを切り替えるための制御ボタンという二つの制御ボタンを含み、後者は、例えば第一撮影モードが第一対象物件を撮影するモードで、第二撮影モードが第二対象物件を撮影するモードで、異なる撮影モードが異なる光学パラメータ、例えば焦点距離に対応し、それにより異なる対象物件に対して明瞭な画像を適応的に撮影できる。
【００３２】
一例では、通信インタフェース１７は少なくとも、ＵＳＢデータケーブルによって、収集した証明書画像を他の装置、本人認証装置（ＳｅｎｓｅＩＤとも称される）という製品に送信し、それによってＳｅｎｓｅＩＤが証明書画像情報とリアルタイムの顔情報を照合するためのＵＳＢインタフェースを含む。
【００３３】
本開示の実施例では、第一収容構造１３および第二収容構造１４は階層構造のように分布し、第一収容構造１３が第二収容構造１４の上層に位置する。ユーザは第一対象物件（身分証明書など）を置きたい時、第一対象物件を第一収容構造１３上に直接置ければよく、ユーザは第二対象物件（パスポートなど）を置きたい時、第二対象物件を第一側面と前記溝構造の開口が位置する平面との間から第二収容構造１４に挿入する必要がある。
【００３４】
本開示の実施例における画像収集装置は、一つの装置に異なるタイプの対象物件（証明書など）をそれぞれ収容するための少なくとも二つの収容構造が設置され、多種類の証明書の収集という機能をサポートし、証明書情報収集装置のコストを削減し、ユーザの使用体験を向上させる。
【００３５】
本開示の実施例に記載の技術的解決手段は、互いに衝突しない限り、任意に組み合わせることができる。
【００３６】
以上は本開示の具体的な実施形態に過ぎず、本開示の保護範囲を限定するものではなく、当業者であれば、本開示に開示した技術的範囲内で、簡単に想到できる変形または置換は、全て本開示の保護範囲に属する。
【産業上の利用可能性】
【００３７】
本開示の実施例の技術的解決手段によれば、画像収集装置は、画像収集デバイスおよび少なくとも二つの収容構造が設置される本体構造を含み、前記少なくとも二つの収容構造は、第一対象物件を置くための、前記本体構造の第一位置に設置される第一収容構造、および第二対象物件を置くための、前記本体構造の第二位置に設置される第二収容構造を含み、前記第一位置は前記第一収容構造上に置かれる前記第一対象物件が前記画像収集デバイスの収集可能な領域範囲内に位置することを満たし、前記第二位置は前記第二収容構造上に置かれる前記第二対象物件が前記画像収集デバイスの収集可能な領域範囲内に位置することを満たす。これによって、一つの装置に異なるタイプの対象物件（証明書など）をそれぞれ収容するための少なくとも二つの収容構造が設置され、多種類の証明書の収集という機能をサポートし、証明書情報収集装置のコストを削減し、ユーザの使用体験を向上させる。
【図１】
2020521261.tif 000003
【図２】
2020521261.tif 000004
【図３】
2020521261.tif 000005
【図４】
2020521261.tif 000006
【図５】
2020521261.tif 000007
【図６】
2020521261.tif 000008
【図７】
2020521261.tif 000009
【図８】
2020521261.tif 000010
【国際調査報告】
2020521261.tif 000011
2020521261.tif 000012
2020521261.tif 000013
2020521261.tif 000014